(57)【特許請求の範囲】
【請求項１】
柱と、この柱を中心にして放射状に配置され、内側縁から突出させた突起が柱に形成した溝に所定の高さにわたってこの柱に差し込まれると共に、内側縁が少なくとも上下２点で柱の周面に接する少なくとも３枚の立板状の脚板材と、これらの脚板材を柱に差し込んだ位置に牽制する牽制板とからなる台部と、この台部上に載置される天板とを備え、天板に各脚板材の上端部との一方に突起が、その他方に凹部が形成され、これらの突起と凹部との嵌合により天板が台部上で位置決めされることを特徴とする組立テーブル。
【請求項２】
柱が中空柱であり、天板にこの柱が挿通される貫通孔又は柱の中心孔に対応する貫通孔が形成された請求項１に記載の組立テーブル。
【請求項３】
４枚の脚板材が柱を中心として周方向に等間隔置きに配置され、柱を挟んで互いに背反する方向に配置された１組の脚板材が１枚板で構成された請求項１又は２のいずれか１項に記載の組立テーブル。
【発明の詳細な説明】
【０００１】
【発明の属する技術分野】
本発明は、部材どうしを嵌め合わせることにより簡単に、しかも、堅牢に組立てることができると共に、簡単に分解して子供や女性でも運搬できるようにした、野外活動に適した組立テーブルに関する。
【０００２】
【従来の技術】
今日、モータリゼーションの発展と共に、オートキャンピング、ドライブ、釣行などの野外活動に家族連れなどのグループが出掛けることが多くなっている。このようなグループ的な野外活動をするために、折畳み式のテーブルや折畳み式のテーブルに折畳み式の椅子を組み込んだテーブル・椅子セットを持って行くことも多く見掛けられる。
【０００３】
この折畳み式のテーブルは、天板と各脚とをそれぞれピンあるいはボルトや蝶番で連結して、脚を天板の下面に折り畳めるようにしてあり、又、脚を拡げた状態に固定するために折り畳み式の筋交いを天板と各脚にわたって架着している。
【０００４】
又、折り畳み式テーブル・椅子セットは、更に、折畳み式テーブルの各脚あるいは天板に座板をピンあるいはボルトや蝶番で連結して、天板の下面に折り畳んだ脚の上側又は下側に座板を折り畳めるようにすると共に、拡げられた脚に座板を水平に支持させるために、座板と各脚あるいは天板とにわたって折り畳み式の筋交いを架着している。
【０００５】
【発明が解決しようとする課題】
このような従来の折畳み式の家具は、テーブルあるいはこれに加えられた椅子の各部材が互いに連結されて一体にして運べるようにしてあるから、一見携行に便利なように見えるが、テーブルや椅子の部品を同時に全部持ち運びすることになる結果、必然的に重量が重く、力の弱い人、例えば子供や女性が自動車に積み降ろしできなくなったり、自動車から例えば数十ｍも離れたキャンプサイトまで運んだりすることができなくなるという問題がある。
【０００６】
その結果、女性だけや女性と子供だけでキャンプなどの野外活動にこの折畳み式家具を携行することができず、野外活動の振興に限界が生じる。又、折畳み式家具の設営や撤去に参加できない子供や女性にとっては、例えば家族の全員が参加してキャンプをするという一体感が薄れ、場合によっては疎外感を感じて、グループの一体感を深めるために行うキャンプの意義が損なわれるという問題が生じかねない。
【０００７】
又、折畳み式のテーブルや折畳み式のテーブルに折畳み式の椅子を組み込んだテーブル・椅子セットを自動車で搬送する場合、この折り畳んだ脚や椅子によって安定性が悪いため、このテーブルが移動して違いに擦れ合う結果、テーブルや荷台にキズがつくなどの問題もある。
【０００８】
更に、使用中に誤って、筋交いや脚が身体や他物が当たると、筋交いが折り畳まれ、不意に天板が傾いて、その上に乗せていた物が周囲に飛び散ったり、滑り落ちることがある。これにより、周囲の人に加熱された食品などが降りかかり、火傷をしたりすくことがあり、特に、ランプが落下して火災を発生したり、天板上にこんろを乗せて天麩羅を行っている時には、このような天板の傾倒が起こると、加熱された天麩羅油にこんろの火が移り、火災を発生したりする危険が生じる。
【０００９】
本発明は、前記の事情を鑑みて、各部材どうしを嵌め合わせることにより簡単に、しかも、天板が傾倒する恐れがなくなる程度に堅牢に組立てることができると共に、簡単に分解して子供や女性でも運搬できるようにした組立テーブルを提供することを目的とするものである。
【００１０】
【課題を解決するための手段】
本発明の参考としての組立テーブル（以下、参考発明という。）は、前記の目的を達成するために、少なくとも２枚の立板状の脚板材を有する台部と、この台部に載置される天板とを備えてなり、前記各脚板材には、その上縁から下方に及び／又はその下縁から上方に凹設され、且つ他の脚板材の板厚と同じ又はほぼ同じ溝幅を有する溝が形成されてなり、前記各脚板材を互いに他の脚板材の溝に差し込むことにより平面視において各脚板材が交差して組立てられるように構成され、しかも少なくとも１枚の脚板材の上面と天板の下面との一方にその他方に向かって突出する突起が形成され、その他方にはその突起が嵌入される凹部が形成され、この突起と凹部とを嵌合させることにより天板が台部上で位置決めされることを特徴とする。
【００１１】
これにより、台部は脚板材を互いに他方に形成した凹部に差し込むことより、簡単に組み立てることができるのであり、又、互いに他方の凹部から抜き取ることにより、簡単に分解できる。即ち、脚板材という部品の抜き差しという、楽で、簡単な作業で分解・組立ができるのであり、子供や女性でも分解・組立ができると共に、部品に分解して子供や女性でも楽に持ち運びできるのである。
【００１２】
しかも、脚板材は互いに他の脚板材の凹部に差し込むことによりその板厚方向への移動や傾斜が確実に防止されるので、堅牢に組立てられ、使用中に誤って脚板材に身体や他物が当たっても不意に台部が崩れる恐れはなくなり、従って、天板が突然に傾く恐れはなくなる。
【００１３】
又、台部と天板とは、台部を組み立てた後、天板を台部に乗せ、突起と凹部とを合わせることにより自重で突起と凹部とが嵌合されて、天板が台部上に位置決めされて支持させることができるのであり、又、天板を台部から持ち上げるだけで分解できる。即ち、天板の上げ下ろしという楽で、簡単な作業で組立・分解ができるのであり、こどもや女性でも分解・組立ができると共に、天板を分解して子供や女性でも楽に持ち運びできるのである。
【００１４】
以下、参考発明を詳細に説明する。
参考発明の台部は、平面視において互いに交差するように配置される少なくとも２枚の脚板材を有し、各脚板材には、その上縁から下方に及び／又はその下縁から上方に凹設され、他の脚板材の板厚と同じ又はほぼ同じ溝幅を有する溝が形成されるのである。
【００１５】
例えば２枚の脚板材で台部を構成する場合には、一方の脚板材の下縁から上方に凹入する溝が形成され、他方の脚板材の上縁から下方に凹入する溝が形成される。これらの溝幅は互いに他方の脚板材の板厚と同じ又はほぼ同じに形成されるので、互いに他方の脚板材の溝に挿入して組み合わせることができる。
【００１６】
この２枚の脚板材の交差角度は特に限定されないが、溝加工を簡単にするために平面視において２枚の脚板材どうしが互いに直交するように組み合わすことが好ましい。
【００１７】
更に、この場合には、各脚板材は板幅方向のどの位置でも他の脚板材と交差させてもよいが、安定性を高めるために、互いに板幅方向の中央で他の脚板材と交差させることが好ましい。
【００１８】
又、例えば３枚の脚板材で台部を構成する場合には、３枚の脚板材が１点で交差するように組み立てたられ、この場合には、第１の脚板材の下縁から上方に第２の脚板材を差し込む溝を凹設し、第２の脚板材にはその上縁から下方に第１の脚板材を差し込む溝を凹設すると共にその下縁から第３の脚板材を差し込む溝を形成し、第３の脚板材にはその上縁から下方に第１及び第２の脚板材を差し込む溝を凹設する。そして、例えば第３の脚板材を立てて、その溝に上から第２の脚板材を挿入すると共に、第２の脚板材の下側の溝に第３の脚板材を挿入し、この後、第１の脚板材を第２の脚板材の上側の溝及び第３の脚板材の溝に挿入すると共に、第１の脚板材の溝に順に第２、第３の脚板材を挿入するすることにより、各脚板材が平面視において１点で例えば互いに交差角１２０°で交差するように組立てられる。
【００１９】
脚板材を４枚以上用いる例としては、平面視において互いに直交する２枚の脚板材を１組として適当な間隔を置いて２組以上用いたり、４枚の脚板材を平面視において１点で交差するように組立てられる。
【００２０】
脚板材はそれぞれ独立した部材に形成することができるのはもちろんであるが、２つ以上の脚板材を一枚板状に連結して連脚板材を構成してもよい。
【００２１】
このような連脚板材を備える場合には、部品点数を削減でき、組立の作業性を高めることができる。
【００２２】
例えば２つの脚板材を一枚板状に連結した二連脚板材の場合にはその両端部に他の脚板材を挿入する溝が形成される。これらの溝は、一端側で上側から凹設し、他端側で下側から凹設するようにしてもよいが、この二連脚板材に交差させる他の脚板材の形状の種類を少なくするために、両端の溝を上側又は下側のいずれか一方から凹設することが好ましい。
【００２３】
この二連脚板材を備える場合には、２枚の脚板材を１枚の二連脚板材で連結したり、平行に配置される１対の脚板材の間に少なくとも１枚の二連脚板材をこれら脚板材と平行に配置し、これら脚板材と二連脚板材とを順に他の脚板材で連結したり、３枚以上の二連脚板材を平面視において多角形環状に順次交差するように組み合わせた台部を構成することができる。
【００２４】
なお、平面視において多角形環状に順次交差するように組み合わせた台部を構成する場合、奇数の二連脚板材が使用される場合には、各二連脚板材の一端の溝は下縁から凹設され、他端の溝は上縁から凹設された１種類の二連脚板材が使用されるのであり、偶数の二連脚板材が使用される場合には、各二連脚板材の一端の溝を下縁から凹設し、他端の溝は上縁から凹設した１種類の二連脚板材を用いてもよく、又、両方の溝が下縁から凹設されたものと上縁かは凹設されたものとの２種類の二連脚板材を用いてもよい。
【００２５】
又、二連脚板材に交差させる他の脚板材に二連脚板材２枚の板厚と同じ又はほぼ同じ溝幅を有する溝を形成する場合には、二連脚板材１枚の板厚と同じ又はほぼ同じ溝幅の溝を有し、互いに平行に配置される１対の脚板材の間にこの二連脚板材２枚の板厚と同じ又はほぼ同じ溝幅を有する溝を有する少なくとも１枚の脚板材を配置し、これら脚板材を二連脚板材で順次連結するように組み立てることができる。
【００２６】
３つ以上の脚板材を一枚板状に形成した多連脚板材の場合には、その連結方向に適当な間隔を置いて他の脚板材又は連脚板材を挿入する３条以上の溝が形成される。これらの溝も、この多連脚板材に交差させる他の脚板材の形状の種類を少なくするために、上側又は下側のいずれか一方から凹設することが好ましい。
【００２７】
この３連以上の多連脚部材の場合には、平面視において互いに平行に配置される３枚以上の他の脚部材又は連脚部材を多連脚部材で串刺しにしたように組み合わされた多スパンの台部を構成することができる他、二連脚板材と同様に平面視において多角形環状の台部を組み立てることができる。
【００２８】
前記脚板材あるいは連脚板材の材質は特に限定されず、例えばアルミニウムなとの軽金属、木、合成樹脂、ダンボール紙、あるいは化粧合板などのこれらの複合材料を用いればよい。
【００２９】
参考発明においては、脚板材どうし、あるいは脚板材と連脚板材とを互いにその他方に形成した溝に差し込むことにより組立てられ、互いに他方の溝から抜き取ることにより分解できるのである。即ち、例えば脚板材を地面に立てて片手で持ち、もう１枚の脚板材をその脚板材に差し込むことにより、或いは、一人が脚板を地面に立てて持ち、もう一人が他の脚板材を差し込むことにより簡単に脚板材どうしを組み立てることができるのであり、分解する時には、その逆を行えばよいのである。従って、台部の組立てに当たって一人で持ち上げるのは１枚の脚板材あるいは連脚板材だけであり、子供や女性でも軽々と持ち上げて組立てたり、分解したりすることができるのであり、又、例えば数十ｍ先まで運ぶことができるようになる。
【００３０】
そして、脚板と連脚板材とは互いに他方の溝に差し込まれることにより、他方の板によって板厚方向への変位や傾斜が防止されるので、堅牢に組立てられ、使用中に誤って脚板材や連脚板材に人や物が当たっても台部が不意に崩れる恐れはなく、従って、天板が不意に傾く恐れがなくなり、例えば天板の上の食べ物、高温の煮炊き物、高温の天麩羅油などが周囲に飛び散ったり、火の着いたこんろやランプが落下したりすることが防止できる結果、安全性を著しく高めることができるのである。
【００３１】
参考発明においては、前記連脚板材に代えて又はこれと共に梁材を設けてもよく、この場合、梁材と脚板材にはその上縁から下方に及び／又はその下縁から上方に凹設され、他の脚板材の板厚又は梁材の幅と同じ又はほぼ同じ溝幅を有する溝が形成され、梁材及び各脚板を互いに他の脚板材又は梁材の溝に差し込むことにより平面視において梁材と各脚板が交差するように組立てられる。
【００３２】
ここで、梁材とは、その下縁が地面に接しない点で連脚脚板材と異なるが、連脚板材と同じように少なくとも隣接する２枚の脚板材（あるいは連脚板材）をこれらと嵌め合うことにより連結するように構成してあればよい。従って、梁材の形状は立板状であっても、軸状であってもよいが、比較的小さい断面積で脚板材と安定良く、かつ、強固に組み合わせることができるようにするために、立板状のものを用いることが推奨される。
【００３３】
参考発明においては、もちろん、組立てた脚板材どうし、又は脚板材と梁材とを、更に例えば金具を介してボルト・ナットなどにより互いに固定して、脚板材と梁材とを一層堅牢に組立てられるようにしてもよい。
【００３４】
参考発明において、前記天板は合板を含む１枚板であっても、分割された複数枚の板であってもよく、複数枚に分割された天板の場合には分割された各部分を互いにヒンジなどによって連結してあっても、連結してなくてもよい。
【００３５】
この天板の素材は特に限定されず、例えば、アルミニウム等の軽合金、木、合成樹脂、ダンボール紙あるいは化粧合板などのこれらの複合材をその例に挙げることができる。もちろん、この天板の上面には適当な装飾的絵柄を印刷したり、塗装したりしてもよく、又、その周縁部に例えば押出アルミ材や合成樹脂からなる縁枠を設けてもよい。
【００３６】
この天板の平面形状としては、円形、楕円形、ひょうたん形などの曲線状の輪郭を有する形状、三角形、正方形、長方形、五角形、六角形、八角形、星形などの屈曲線状の輪郭を有する形状、あるいはこれらを複合した形状など任意の形状を選択することができる。
【００３７】
又、この天板の厚さは、一様であっても、一様でなくてもよく、例えば周縁部や中央部を厚肉にして周縁部や中央部の強度を高めたりすることができ、更に、適当な位置にコップなどの食器の下部を挿入する凹部や貫通孔を形成したり、旗竿やパラソルの支柱などを差し込む貫通孔を形成したりすることもできる。
【００３８】
参考発明においては、組立てた台部の上に天板を乗せ、その一方に設けた突起とその他方に設けた凹部とを合わせることにより自重で突起と凹部とが嵌合されて、台部と天板とが組立てられる。又、台部から天板を持ち上げるだけで台部と天板とを分解することができる。
【００３９】
前記突起を台部と天板とのいずれかに設けるかは自由であり、台部と天板との両方に互いに対応させて突起と凹部とを設けることも可能である。しかしながら、分解して各部材を寝かせて積み重ねた時の高さが低くなるようにするため、天板の下面に凹部を形成することが有利であり、従って、突起は台部の上面に設けることが推奨される。
【００４０】
台部に突起を形成する場合には、脚板材、連脚板材、梁材などの少なくとも１つに突起を形成てればよく、この突起は１つでも、２つ以上であってもよい。
【００４１】
脚板材、連脚板材、梁材などに１つの突起を設ける場合には、その板幅方向の中央部から偏心した位置に設けてもよいが、位置決めの対称性を得るために中央部に設けることが好ましく、又、天板の回転を防止するために楕円、長方形、正方形などの多角形を含む非円形柱状に形成することが好ましい。
【００４２】
脚板材、連脚板材又は梁材などに２つの突起を設ける場合には、その板幅方向の中央部に近接して設けてもよいが、強度的な理由からその板幅方向の両端部に設けることが好ましい。
【００４３】
台部に突起を設ける方法としては、脚板材、連脚板材、梁材などの上縁を段落ち状に切欠くことにより突起を形成する方法、脚板材、連脚板材、梁材などの上縁に別体に形成された突起を釘打ち、ネジ止め、接着あるいはこれらのうちの２種以上を併用して固着する方法、脚板材、連脚板材、梁材などの上縁に突起を植え込む方法などがあり、突起を植え込む方法の場合には、突起を構成する部材を脚板材、連脚板材、梁材などから引き抜いたり、ねじ回して抜き取れるようにしてもよいのである。
【００４４】
天板に突起を設ける方法としては、天板の下面の突起を除く部分を薄肉に削ることにより突起を形成する方法や、天板に別体に形成された突起を例えば釘打ち、ネジ止め、接着あるいはこれらのうちの２種以上を併用して固着する方法、天板に突起を植え込むという方法をその例として挙げることができる。なお、天板に突起を植え込む方法では、突起を構成する部材を天板から引き抜いたり、ねじ回して抜き取ったりできるようにしてもよい。
【００４５】
天板に設ける突起の数は１以上であれは特に限定されないが、１枚の脚板材又は連脚板材若しくは１本の梁材に対して２つ以上の突起を設ける場合には、その脚却板、連脚板材、梁材などが交差点を中心にして水平回転することを防止できるので有利である。
【００４６】
この突起の形状は、特に限定されず、例えば円柱形、弦月柱形、角柱形など任意の形状に形成することができるが、非円柱形に形成する場合には天板の回転を防止できるので有利であり、その中でも角柱形、特に長方形、正方形、菱形、台形などの四角柱形に形成する場合には、脚却板、連脚板材、梁材などの上端の一部分あるいは天板の下面の一部を段落とし状に切欠きあるいは切削することにより簡単に形成できるので一層有利である。
【００４７】
前記凹部は、この突起と嵌め合わせることにより台部に対して天板を位置決めできる形状に形成してあればよく、必ずしも突起と同じ形状に形成しなけれはならないものではなく、例えば脚板や梁材の板厚、突起の径と同じ溝幅を有する溝形に形成することができる。又、この凹部は、天板の下面から上面に貫通するように形成しても、天板の上面に貫通しないように形成し、天板の凹部の凹部に嵌め込んだ突起が天板の上面に現れないようにしてもよい。
【００４８】
なお、参考発明において、例えば台座の上面にネジ孔を有する金具を埋め込み、或いは組付け、天板の上方から挿通されるボルトをこの金具のネジ孔に螺合したり、台座にボルト挿通孔を有する金具を支持させ、天板及びこの金具に挿通されたボルトに挿通したボルトにナットを螺締したりすることにより、使用中に天板が上方に分解することを確実に防止するようにしてもよい。
【００４９】
このように、参考発明によれば、脚板材、連脚板材、梁材、天板などの部品を子供や女性でも楽に、簡単に組み立てたり、分解したりすることができるのであり、又、それらの部品を１つずつ軽々は運ぶことができる。従って、例えば子供や女性でも自動車から一人でキャンプサイトまで自動車から部品を持ち運び、その組立や分解に参加し、使用後に分解した部品を自動車まで持ち返ることにより、家族などのグループの一員としての自覚、即ち、自己がグループの中で存在していることの意義を感じ、仲間意識が高揚されることになるのである。
【００５０】
参考発明においては、脚板材、連脚板材又は梁材から選ばれた選ばれた少なくとも２つが交差する交差部が天板の下面よりも下方に凹入させ、該交差部の上方の天板の部分に貫通孔を形成することができ、この場合には、この貫通孔から交差部に軸状の物、例えば旗竿やパラソルの柄を差し込むことによりこの軸状の物を立てて支持できるようになる。又、脚板材、連脚板材又は梁材から選ばれた選ばれた少なくとも２つが交差する交差部に上方から差し込まれる中空柱が設けられ、天板にこの中空柱が挿通される貫通孔を形成し、旗竿やパラソルの柄をより確実に支持できるようにしてもよい。
【００５１】
ところで、参考発明は、例えばテーブル、椅子など、天板を台部で支持する構造の組立テーブルに広く適用できる他、テーブルと椅子とを組み合わせたテーブル・椅子セットにも適用できる。
【００５２】
即ち、参考発明においては、少なくとも１枚の脚板材の一方又は両方の側縁部に水平の座受面が形成され、この座受面に載置される座席板を設けることができる。
【００５３】
又、この場合に、座受面と、座席板の下面との一方にその他方に向かって突出する突起が設けられ、その他方にこの突起が嵌入される凹部が形成され、この突起と凹部との嵌合により座席板が座受面上で位置決めされるように構成すると、座席板の安定性が高められるので有利である。
【００５４】
参考発明において、脚板材に座受面を設けると共にこれに載置される座席板が設けられる場合、平面視において各座席面に直交する座受板を設け、脚板材に座受面から下方に向かって座受板の板厚と同じ又はほぼ同じ溝幅で座受板の高さよりも浅い溝を凹設し、座受板にはその下縁から上方に向かって脚板材の板厚と同じ又はほぼ同じ幅で座受板の高さから座受面の溝の深さを差し引いた深さの溝が凹設され、脚板材と座受板とを互いに他方の溝に差し込むことにより座受面と座受板の上面とが面一又はほぼ面一になるようにこれらを組立て、座席面及び座受板の上面に座席板を載置する場合には、座席板が安定良く支持されるので有利である。
【００５５】
参考発明においては、座受面と座席板の下面との一方にその他方に向かって突出する突起が設けられ、その他方にこの突起が嵌入される凹部が形成され、この突起と凹部との嵌合により座席板が座受面上で位置決めされるように構成したり、また、座受板の上面と座席板の下面との一方にその他方に向かって突出する突起が設けられ、その他方にこの突起が嵌入される凹部が形成され、この突起と凹部との嵌合により座席板が座受面上で位置決めされるように構成したり、更に、１枚の座席板が順に隣合う複数の座受面にわたって載置されるように構成しても良いのである。
【００５６】
更に、複数の座席面が設けられる場合には、座席板は座受面ごとに互いに独立して設けてもよいが、座席板を順に隣合う複数の座受面にわたって載置することにより、座席板の安定性を一層高めることができる。このように順に隣合う複数の座受面にわたって座席板が載置させる場合には、座受板を省略して部品点数を削減することができる。
【００５７】
もちろん、脚板材に座受面を設けると共にこれに載置される座席板が設けられる場合には、例えば座受面にネジ孔を有する金具を埋め込み、座板の上方から挿通されるボルトをこの金具のネジ孔に螺合したり、脚板材や座受板にボルト挿通孔を形成した金具を支持させ、座席板及びこの金具に挿通したボルトにナットを螺締したりすることにより、座板が上方に分解することを確実に防止するようにしてもよい。この場合には、前記突起及び凹部を省略することも可能ではあるが、座板に形成したボルト挿通孔と座受面のネジ孔との位置合わせを簡単にするために、前記突起及び凹部を設けることが有利である。
【００５８】
次に、本発明の組立てテーブル（以下、本発明という。）は、前記の目的を達成するため、柱と、この柱を中心にして放射状に配置され、内側縁から突出させた突起が柱に形成した溝に所定の高さにわたってこの柱に差し込まれると共に、内側縁が少なくとも上下２点で柱の周面に接する少なくとも３枚の立板状の脚板材と、これらの脚板材を柱に差し込んだ位置に牽制する牽制板とからなる台部と、この台部上に載置される天板とを備え、天板に各脚板材の上端部との一方に突起が、その他方に凹部が形成され、これらの突起と凹部との嵌合により天板が台部上で位置決めされることを特徴とする。
【００５９】
本発明においては、例えば牽制板に各脚板材を組付けた後、上方から柱を各脚板材の間に挿入して、或いは柱と各脚板材と組み立てた後、牽制板に組付けて台部を組立て、この台部の上に天板を乗せて、各脚板材を天板に下方からから差し込んで各脚板材の上端部を位置決めすることにより組立が完了する。従って、部品を１つずつ組み上げて行けばよいので、子供や女性でも楽に、かつ、簡単に組み立てることができる。又、その分解は、組立と逆の手順で行えばよいので、子供や女性でも楽に、かつ、簡単に分解することができる。そして、分解した各部品は子供や女性でも例えば数十ｍにわたって軽々と運ぶことができる。
【００６０】
しかも、各脚板材は、その下部が柱に合わされるのでその板厚方向の変位や傾きが防止される上、位置決め嵌合部及び牽制板に上端部と下部とを嵌合して位置決めされるので、使用中に例えば人や他物が脚板材や柱に当たっても柱や脚板材が不意に傾く恐れがなく、従って、突然に天板が傾く恐れもなくなる。
【００６１】
以下、本発明を詳細に説明する。
本発明では台部に柱が用いられることが特徴であり、この柱は中実であってもよいが、柱を中空柱で構成し、天板にこの柱が挿通される貫通孔又は柱の中心孔に対応する貫通孔が形成される場合には、天板の貫通孔から柱に旗竿、パラソルの柄などの軸状の物を差し込んで、この軸状の物を立てて支持できるようになる。
【００６２】
又、この柱の外形は特に限定されず、例えば円柱形、角柱形など任意の形状に形成することができるのであり、又、その断面積は上下両端間にわたって一様であっても、上広がりテーパ形、下広がりテーパ形、紡錘形など任意に変化させてもよい。もちろん、柱の表面を浮き彫り、印刷、塗装、化粧板の貼付けなど任意の方法によって装飾してもよい。
【００６３】
この柱には、これを中心にして放射状に配置される少なくとも３本の脚板材によって直立状態に支持される。即ち、柱には、各脚板材の内側縁部を差し込むための溝が形成され、この溝に脚部材の内側縁部から突出させた突起を差込み、各脚板材をその内側縁下部が柱の溝に差し込まれた位置に牽制板が牽制することにより、柱の下部は確実に各脚板材によって支持される。
【００６４】
柱に脚板材の内側縁部の突起を差し込む方向は特に限定されず、上方向、下方向、求心方向、或いは求心方向と上方向又は下方向との複合方向から差し込まれるようにすればよい。これらの中では、組立作業性を考慮して、脚部材に内側縁部の下部を更に柱心方向に突出させた突起を形成し、この突起を下方向及び求心方向から差し込める溝を柱に形成することが好ましい。
【００６５】
各脚板材の内側縁部は柱の溝に差し込まれた位置で柱の周面に少なくとも２点で接するようにしてあり、これより柱が直立状に支持される。
【００６６】
本発明におていは、更に、天板に各脚板材の上端部との一方に突起が、その他方に凹部が形成されることが必要であり、これらの突起と凹部との嵌合により天板が台部上で位置決めされることにより、各脚板材が外側に開くことが防止される。
【００６７】
天板と各脚板材の上端部とのいずれに突起を設けるかは自由であるが、加工費用を安価にするため各脚板材の上端部に突起を設け、天板にこの突起が嵌入される凹部を形成することが好ましい。
【００６８】
本発明においては、４枚の脚板材が柱を中心として周方向に等間隔置きに配置され、柱を挟んで互いに背反する方向に配置された１組の脚板材が１枚板で構成されたものも望ましい。
【００６９】
本発明は、参考発明と同様に例えばテーブル、椅子など、天板を台部で支持する構造の組立てテーブルに広く適用できる他、テーブルと椅子とを組み合わせたテーブル・椅子セットにも適用できる。その詳細な説明は参考発明の詳細な説明と重複するので、紙幅を節約するためにここでは省略する。
【００７０】
【発明の実施の形態】
以下、本発明の参考例及び実施例を図面に基づいて具体的に説明するが、本発明はこれによって限定されるものではない。
【００７１】
図１の分解斜視図及び図２の斜視図に示す第１の参考例（以下、参考例１という。）は参考発明をテーブル・椅子セットに適用したものであり、２枚の立板状の脚板材１１を一枚板状に連結した二連脚板材１０と、この二連脚板材１０の両端部にそれぞれ組み合わされる２枚の他の立板状の各脚板材１２とからなる台部１と、平面視において角を丸めた長方形に形成された天板２と、平面視において角を丸めた長方形に形成された２枚の各座席板３とを備える。
【００７２】
前記二連脚板材１０は２枚の各脚板材１１とこれらの上部を連結する連結部１３とを一枚板状に連結するものであり、各脚板材１１には、その板幅方向の中央部で下縁から上方に凹入し、この二連脚板材１０と平面視において直交するように組み合わされる他の脚板材１２の板厚と同じ溝幅を有する溝１４が形成されている。
【００７３】
これに対して、二連脚板材１０と平面視において直交するように組み合わされる他の２枚の脚板材１２には、その板幅方向の中央に上縁から下方に凹入し、二連脚板材１０の板厚と同じ溝幅の溝１５が形成されている。
【００７４】
そして、例えば１枚の他の脚板材１２と二連脚板材１０とを、他の脚板材１２の板幅方向中央部に二連脚板材１０がＴ字形に突き合わせるようにして、地面に立てた後、二連脚板材１０の一端をその下部が他の脚部材１２の溝１５を通る高さまで持ち上げ、次いで、二連脚板材１０の一端の溝１４と他の脚部材１２の溝１５とを一直線上に位置させ、二連脚板材１０の一端部を下げることより、二連脚板材１０の溝１４が他の脚部材１２の幅方向中央部の溝１５に挿入されて行き、又、これより少し遅れて他の脚部材１２の溝１５が二連脚板材１０の他端の脚板材１１の幅方向中央部の溝１４が挿入されて行く。
【００７５】
即ち、二連脚板材１０の一端の脚板材１１と１枚の他の脚板材１２とが互いに他方の溝１４、１５に挿入されることにより、これらが平面視において互いに直交するように組み合わされ、互いに溝１４、１５の側縁によって他方の脚板材１１、１２の板厚方向への移動及び傾斜を防止するようになる。
【００７６】
又、この後、同様の手順で残りの他の脚板材１２を二連脚部材１０の他端の脚板材１１に組み合わせることにより、台部１の組立が終わる。
【００７７】
組立られた台部１は、使用中に二連脚板材１０や他の脚板材１２に人の足や他物が当たっても、これらが互いにその板厚方向への移動及び傾斜を防止しているので堅牢に組立られており、二連脚板材１０や他の脚板材１２が傾倒する恐れはない。
【００７８】
従って、使用中に突然に天板２が傾き、この天板２上に乗せていた食糧、食器、調理具等が周囲に飛んだり、天板２から滑り落ちたりする恐れはなくなり、例えば天麩羅を揚げているときに突然に天板２が傾いて天麩羅油が地面にこぼれ、この天麩羅油にコンロの火が移って火災を招くような危険を確実に防止できるようになり、著しく安全性を高めることができる。
【００７９】
組立られた台板１の二連脚板材１０及び他の脚板材１２の上面は面一に成っているが、二連脚板材１０の上縁の両端部には上方に突出する突起１６が形成され、天板２にはこれに対応して、長手方向の両端の端縁から内側に凹入する溝２１が形成されている。
【００８０】
そして、組立られた台部１の上に天板２を乗せ、突起１６と溝２１の位置を合わせると天板２が自重で沈み、突起１６と溝２１とが嵌合されて天板２と二連脚板材１０とが互いに位置決めされる。
【００８１】
又、他の脚板材１２の両側縁部には、水平の座受面１７が形成され、天板２を挟んで片側の２つの座受面１７にわたって１枚の座席板３が載置され、その反対側の２つの座受面１７にもう１枚の座席板３が載置される。
【００８２】
各座受面１７の外側半分には座席板３の板厚分だけ上方に突出させた突起１８が形成され、座席板３の長手方向の両端部には片側の２つの座受面１７の突起１８に対応して外側端縁から内側に凹入させた溝３１が形成されている。そして、座席板３をこの座受面１７の上に乗せ、突起１８と溝３１との位置を合わせると座席板３は自重で沈み、突起１８と溝３１とが嵌合され、座席板３が長手方向に位置決めされる。又、座席板３は突起１８と溝３１とが嵌合された状態で座受面１７の内側端から立ち上がる立上面１９と突起１８とによって短手方向にも位置決めされる。
【００８３】
このように、このテーブル・椅子セットの組立は部品を１枚ずつ組立てればよいので、力の弱い子供や女性でも、楽に、かつ、簡単に組み立てることができるのであり、又、分解は逆に部品を１つずつ分解して行けばよいので、女性でも、楽に、かつ、簡単に分解することができる。
【００８４】
図３の分解斜視図及び図４の斜視図に示す第２の参考例（以下、参考例２という。）も参考発明をテーブル・椅子セットに適用したものであり、この参考例の台部１には二連脚部材１０に代えて２本の立板状の梁材４が用いられている。
【００８５】
各脚板材１２にはその幅方向に適当な間隔を置いた２ヶ所に上縁から下方に凹入し、梁材４の板厚と同じ溝幅を有する２条の溝１５が形成され、各梁材４の両端部にはその下縁から上方に凹入し、各脚板材１２の板厚と同じ溝幅を有する溝４１が形成されている。
【００８６】
そして、前記参考例１において二連脚部材１０と他の脚部材１２とを組立てるのと同様の手順で、これら２本の梁材４と２枚の脚板材１２とを順に平面視において井桁状になるように組み立てる。
【００８７】
又、前記各梁材４の上縁の両端部には上方に突出する突起４２が形成され、天板２にはこれらの突起４２に対応して、長手方向の両端の端縁の短手方向に適当な間隔を置いた各２ヶ所から内側に凹入する４条の溝２１が形成されている。
【００８８】
更に、前記各脚部材１２の上縁の両端部にも突起１６’が設けられ、天板２にはこれらの突起１６’に対応して、短手方向の両端の端縁の長手方向に適当な間隔を置いた各２ヶ所から内側に凹入する４条の溝２１が形成されている。
【００８９】
そして、台部１と梁材４の上に天板２を乗せ、各突起１６’、４２とこれらに対応する溝２１の位置を合わせると、これら突起１６’、４２と溝２１の位置を合わせると天板２が自重で沈み、突起４２と溝２１とが嵌合されて天板２と脚板材１２及び梁材４とが互いに位置決めされる。
【００９０】
この参考例のその他の構成、作用ないし効果は前記参考例１のそれらと同様であるので、重複を避けるためこれらの説明は省略する。
【００９１】
図５の分解斜視図及び図６の斜視図に示す第３の参考例（以下、参考例３という。）も参考発明をテーブル・椅子セットに適用したものであり、この参考例では、２枚の脚板材１１、１２によって台部１が構成される。
【００９２】
一方の脚板材１１にはその幅方向中央の下縁から上方に凹入し、他方の脚板材１２の板厚と同じ溝幅を有する溝１４を有し、他方の脚板材１２にはその幅方向中央の上縁から下方に凹入し、前記一方の脚板材１１の板厚と同じ溝幅を有する溝１５を有している。そして、これら両板材１１、１２は互いに他方の溝１４、１５に挿入して組立てられる。
【００９３】
又、前記各脚板材１１、１２の板厚方向の両端部にはそれぞれ天板の板厚と同じ高さだけ上方に突出する突起１６ａ、１６ｂが設けられ、平面視において円形に形成された天板２の周縁部にはこれらの突起１６ａ、１６ｂに対応して９０°置きの４ヶ所から中心方向に凹入し、各脚板材１１、１２の板厚と同じ溝幅を有する溝２１が形成されている。
【００９４】
これら脚部材１１、１２と天板２との組立は前２例と同様であるので、ここではその詳細な説明は省略する。
【００９５】
この参考例においては、各脚部材１１、１２の両側縁部には座受面１７が形成され、又、平面視において各座席面に直交する４枚の逆三角形板状の座受板５が設けられている。そして、脚板材１１、１２には座受面１７から下方に向かって座受板５の板厚と同じ溝幅で座受板５の高さよりも浅い溝２２が凹設され、座受板５にはその下縁から上方に向かって脚板材１１、１２の板厚と同じ幅で座受板５の高さから座受面１７の溝２２の深さを差し引いた深さの溝５１が凹設され、脚板材１１、１２と座受板５とを互いに他方の溝２２、５１に差し込むことにより座受面１７と座受板５の上面とが面一になるようにこれらが組立てられる。そして、各座受面１７及び座受板５の上面に座席板３が載置される。
【００９６】
座席板３は各座受面１７及び座受板５ごとに独立して設けられ、座受面１７の内外両端部には、座席板３の板厚分だけ上方に突出した突起２３が設けられている。又、各座席板３にはこれらの突起２３に対応して周縁の互いに１８０°を置いた２ヶ所から中心方向に凹入し、脚板材１１、１２の板厚と同じ溝幅を有する溝３１が形成される。そして、座席板３を座受面及び突起２３に載置し、突起２３と溝３１とを位置合わせすると、座席板３は自重で沈み、突起２３と溝３１とが嵌合して座席板３が座受面１７及び座受板５に位置決めして支持される。
【００９７】
この参考例のその他の構成、作用ないし効果は前記参考例１及び参考例２のそれらと同様であるので、重複を避けるためこれらの説明は省略する。
【００９８】
図７の分解斜視図及び図８の斜視図に示す第４の参考例（以下、参考例４という。）は、参考発明をテーブル・椅子セットに適用したものであり、この参考例では、台部１上に載置された天板２を位置決めする突起１６ａ、１６ｂが各脚板材１１、１２の上縁の中央部に形成され、これに対応して天板２の中央部に十文字状の溝２１が形成される。
【００９９】
又、この参考例の座席板３は３つの座受面１７にわたって載置される２つの半円環状に形成されており、各座受面１７の外側半分には座席板３の板厚分だけ上方に突出させた突起１８が形成され、座席板３の周方向の中央部には２つの座受面１７の突起１８に対応して外側端縁から内側に凹入させた溝３１が形成され、その両端部の外側半分３２は両端の座受面１７の突起１８に対応して各座席面１７の向う側の片面から手前側の片面まで切欠いてある。
【０１００】
更に、座席板３の一端の内側四半部３３は他の座席板３の端部をその端部の座受面１７に載置するためにその座受面１７上に重ならないように切り欠いてあり、その外側四半部３４は当該座席板３の端部をその端部の座受面１７に載置するためにその座受面１７に重なるように突出させてある。
【０１０１】
そして、座席板３の反対端では、逆にその内側の四半部３５は当該座席板３の端部をその端部の座受面１７に載置するためにその座受面１７に重なるように突出させてあり、その外側四半部３６は他の座席板３の端部をその座受面１７に載置するためにその座受面１７に重ならないように切欠いてある。
【０１０２】
加えて、各座席板３は座受面１７の内端から立ち上げられた脚板材１１、１２の立上面１９と突起１８とによって径方向に位置決めされる。
【０１０３】
座受板５が省略されていることを除けば、この参考例のその他の構成、作用ないし効果は前記参考例３のそれらと同様であるので、重複を避けるためこれらの説明は省略する。
【０１０４】
図９の分解斜視図及び図１０の斜視図に示す第５の参考例は、参考発明をテーブルに適用したものであり、この参考例では、２枚の脚板材１１、１２が互いに直交するように組み合わされ、更にその上方から中空柱６が差し込まれることにより台部１が組立られる。
【０１０５】
このため、両脚板材１１、１２は交差部及びその近傍部で天板２の下面よりも例えば中空柱６及び両脚板材１１、１２の半分の高さまで下方に凹入させてあり、中空柱６はその下端から上方に当該中空柱６の高さの半分まで凹入され、両脚板材１１、１２の板厚と同じ溝幅を有する十文字溝６１が設けられている。
【０１０６】
又、一方の脚板材１１にはその交差部の下縁から上方に両脚板材１１、１２の四半分の高さ、即ち、交差部の高さの半分の高さまで凹入させた溝１４が形成され、他方の脚板材１１にはその交差部の上縁から下方に交差部の高さの半分の高さまで凹入させた溝１５が形成されている。
【０１０７】
天板２にはその中央部に両脚板材１１、１２の板厚と同じ溝幅を有する十文字溝２１と、これと同心状に形成され、前記柱６の上端部が挿通される円孔２４が形成され、この十文字溝２１には各脚板材１１、１２の上部に形成した突起１６ａ、１６ｂが挿抜されるように構成されている。
【０１０８】
そして、台部１を組立た後、天板２を両脚板材１１、１２及び中空柱６の上に乗せて、円孔２４と中空柱６、及び両脚板材１１、１２の突起１６ａ、１６ｂと十文字溝２１とを位置合わせすると、天板２が自重で沈み、これらが互いに嵌合され、天板２が位置決めされて台部１に支持されることになる。
【０１０９】
この参考例では、中空柱６の中心孔６２に例えばパラソルの柄を差込み、その柄を立てて維持することができ、そのパラソルを開くことにより天板２及びその周囲に日陰を作ることができる。又、例えば目印となる旗の旗竿をこの中心孔６２に差し込んで旗を立てることにより、グループのメンバーがこのテーブルを見つけ易くなる。
【０１１０】
図１１の分解斜視図及び図１２の斜視図に示す第６の参考例は、参考発明をテーブル・椅子セットに適用したものであり、この参考例では台部１が、１つの交差点で互いに１２０°置きに交差するように組立られる３枚の脚板材１１、１２、２５を備える。
【０１１１】
第１の脚部材１１には、その下縁から上方に凹設され、第２及び第３の脚板材２５、１１が挿入される溝１４’が形成され、第２の脚板材２５には、その上縁から下方に凹設され、第１の脚板材１１が挿入される溝２６と、その下縁から上方に凹設され、第３の脚板材１２が挿入される溝２７とが形成され、第３の脚部材１２にはその上縁から下方に凹設され、第１及び第２の脚部材１１、２５が挿入される溝１５’が形成されている。
【０１１２】
なお、第１の脚部材１１に形成される溝１４’はこれに挿入される２枚の他の脚部材２５、１２の方向が異なるので、例えば図１３に示すように、方向が６０°（又は１２０°）異なる上下２段の溝１４ａ、１４ｂと、下側の溝１４ｂから上側の溝１４ａに第２の脚部材２５をひねりながら挿入するための傾斜溝１４ｃとから構成されている。
【０１１３】
又、第２の脚部材２５に形成される上下両側の溝２６、２７は平面視において互いに６０°（又は１２０°）方向を違えてある。
【０１１４】
更に、第３の脚部１２に形成される溝１５’も、互いに方向を６０°（又は１２０°）方向を違えた上下２段の溝１５ａ、１５ｂと、第２の脚部材２５をひねりながら挿入するための傾斜溝１５ｃとから構成される。
【０１１５】
これらの構成の他に突起１６ａ、１６ｂ、１６ｃが各脚部１１、１２、２５の上縁の両端部に形成され、これに対応する凹部２１が天板２の周縁の６０°置きの６個所から内側に凹設されることを除けば、この参考例のその他の構成、作用ないし効果は前記参考例４のそれらと同様であるので、重複を避けるためこれらの説明は省略する。
【０１１６】
図１４の分解斜視図及び図１５の斜視図に示す第１の実施例は本発明をテーブル・椅子セットに適用したものであり、中空柱６と、この中空柱６を中心にして放射状に配置され、内側縁下部がこの柱の下部に差し込まれる４枚の脚板材７と、これらの脚板材７を中空柱６に差し込んだ位置に牽制する円環状の牽制板８とからなる台部１と、この台部１上に載置される天板２とを備え、天板２の下面と各脚部７の上端部とにわたって、天板２に各脚部７の上端部を下方から差し込んで位置決めする位置決め手段９が形成されている。
【０１１７】
各脚板材７の柱側面７１の下半部には中空柱６の中心方向に突出する突起７２が形成され、中空柱６の下半部にはこれら突起７２に対応する溝６１が形成されている。又、各脚板材７の下面の柱６と反対側で前記牽制板８の外側半分に重なる部分には、牽制板８の板厚分だけ上方に段上がり状に切欠かれた切欠７３が形成され、牽制板８の内周面の９０°置きの４ヶ所から外周方向に牽制板８の円環中心線まで各脚板材７に対応する４条の溝８１が凹設してある。
【０１１８】
この牽制板８を地面に置き、各溝８１と各脚板材７の下縁外側の切欠７３とを噛み合わせた後、中空柱６を上方から差し込み、各脚板材７の突起７２と中空柱６の溝６１とを嵌合させると、各脚板材７及び柱が牽制板８によって水平面方向に位置決めされることになる。
【０１１９】
各脚板材７の上端部には上方に突出する突起７４が設けられ、天板２には中空柱６の上端部が挿通される丸孔２４と、中空柱６の周囲に接して放射方向に配置された突起７４に対応する十字溝２１とが形成され、天板２を中空柱６及び各脚板材７の上に乗せ、中空柱６と丸孔２４との位置及び各突起７４と十字溝２１との位置を合わせると、天板２は自重で沈み、柱６が丸孔２４に、各突起７４が十字溝２１にそれぞれ嵌合することにより、天板２と中空柱６及び各脚板材７とが互いに位置決めされる。即ち、前記位置決め手段９は、天板２に形成された丸孔２４及び十字溝２１、中空柱６及び各脚板材７の突起７４で構成されることになる。
【０１２０】
このテーブル・椅子セットの組立は、上述したように、各部品を順に１つずつ組み立てればよいので、力の弱い子供や女性でも楽に、かつ、簡単に組み立てることができる。又、この組立と逆の手順で各部品を１つずつ分解すれば分解できるので、力の弱い子供や女性でも楽に、かつ、簡単に分解することができる。
【０１２１】
又、分解された各部品は、これらを連結した従来の折畳み式テーブル・椅子セット比べてはるかに軽量であり、力の弱い子供や女性でせ楽々と運ぶことができる。
【０１２２】
しかも、組立てられた台部１の中空柱６と各脚板材７とは互いに他方の横方向への移動や傾斜が確実に防止されるように嵌合されているので、堅牢に組立られ、中空柱６や脚板材７に人や他物が当たってもこれらが傾倒する恐れがなく、従って、使用中に天板２が突然に傾いてその上に乗せたものが周囲に散らばったり、滑り落ちたりする恐れがなくなる。
【０１２３】
加えて、中空柱６が中空に形成してあるので、その中心孔６２に例えばパラソルの柄を差込み、その柄を立てて維持することができ、そのパラソルを開くことにより天板２及びその周囲に日陰を作ることができる。又、例えば目印となる旗の旗竿をこの中心孔６２に差し込んで旗を立てることにより、グループのメンバーがこのテーブルを見つけ易くなる。
【０１２４】
図１６の分解斜視図及び図１７の斜視図に示す第２の実施例では、前記実施例１の４枚の脚部材７のうちの中空柱６を挟んで互いに背反する２枚の脚部材７が一枚板状に連結された連結脚板材７’を構成する。そして、牽制板８は残りの２枚の脚部材７の下端部をこれらが中空柱６に組付けられた位置に牽制するように構成されている。
【０１２５】
即ち、この牽制板８は帯板状に形成され、その両端部に角溝状のほぞ孔８１が形成される。この牽制板８の上側に配置される脚部材７の下縁の外側端部には下方に突出する突起７５が設けられ、この突起７５をほぞ孔８１に差し込むことによりその脚部材７が中空柱６と組合せられる位置に位置決めされる。
【０１２６】
なお、連結脚部材７’の下縁中央部にはこの牽制板８を挿通するための凹部７６が形成され、上縁中央部には中空柱６の上半分が挿入される凹部７７が形成されている。
【０１２７】
この実施例によれば、牽制板８が小さくなって軽量になり、その運搬、組立、分解等が容易になる。
【０１２８】
この実施例のその他の構成、作用ないし効果は前記実施例１のそれらと同様であるので、重複を避けるためこれらの説明は省略する。
【０１２９】
なお、ここでは本発明をテーブルに適用した実施例を挙げているが、もちろん、本発明は椅子やテーブル・椅子セットに適用することができる。
【０１３０】
【発明の効果】
以上に説明したように、参考発明によれば、少なくとも２枚の立て板状の脚板材を互いにたほに形成した溝に差し込むことにより、各脚板材どうしを互いに平面視において交差するように組み立て、その上に天板を載置して、位置合わせし、天板を組付けることにより組み立てられる。又、その逆に部品を一つずつ取り外すことにより分解することができる。従って、力の弱い子供や女性でも楽に、かつ、簡単に組立たり分解したりすることができる。又、分解された各部品はこれらを連結した折畳み式のテーブルに比べてはるかに軽量であり、力の弱い子供や女性でも楽々と運搬することができる。
【０１３１】
その結果、力の弱い子供や女性でも自動車への積み降ろし、運搬、組立、分解等に参加することができ、子供や女性だけでも野外活動に参加できるようになる上、子供や女性がこれらの作業を分担することより、グループ内での自己の存在価値を見い出して仲間意識を高揚させることができる。
【０１３２】
又、参考発明によれば、組み合わされた脚板材が溝側に他の脚板材を受け止めて互いに他方の板幅方向への移動や傾斜を防止するので、堅牢に組み立てることができる結果、使用中に人や他物が脚板材に当たっても脚板材が傾倒することがなく、この脚板材の傾倒によって天板が突然に傾斜することはない。
【０１３３】
このため、天板の上に乗せていた物が突然に周囲に飛び散ったり、滑り落ちたりする恐れがなくなり、例えば天麩羅油などの引火性の強いものにコンロの火が燃え移って火災を発生する危険などをなくすことができるから、著しく安全性を高めることができる。
【０１３４】
次に、本発明によれば、柱の周囲に配置される脚板材と牽制板とを組立てた後、柱を脚板材の間に差し込むことにより、台部が組立られ、この台部の上に天板を乗せ、位置合わせをすることにより天板が台部に組付けられる。従って、部品を１つずつ組み立てることにより全体を組み立てることができ、又、逆に、部品を一つずつ分解することにより分解できる。従って、力の弱い子供や女性でも楽に、かつ、簡単に組立たり分解したりすることができる。又、分解された各部品はこれらを連結した折畳み式のテーブルに比べてはるかに軽量であり、力の弱い子供や女性でも楽々と運搬することができる。
【０１３５】
その結果、力の弱い子供や女性でも自動車への積み降ろし、運搬、組立、分解等に参加することができる結果、子供や女性だけでも野外活動に参加できるようになる上、子供や女性がこれらの作業を分担することより、グループ内での自己の存在価値を見出して仲間意識を高揚させることができる。
【０１３６】
又、本発明によれば、柱に脚板材がその板幅方向への移動や傾斜を防止できるように組み付けられるので、使用中に人や他物が柱や脚板材に当たっても柱や脚板材が傾倒することがなく、この柱や脚板材の傾倒によって天板が突然に傾斜することはない。
【０１３７】
その結果、天板の上に乗せていた物品が突然に周囲に飛び散ったり、滑り落ちたりする恐れがなくなり、例えば天麩羅油などの引火性の強いものにコンロの火が燃え移って火災を発生する危険などをなくすことができ、著しく安全性を高めることができる。
【図面の簡単な説明】
【図１】図１は参考例１の分解斜視図である。
【図２】図２は参考例１の斜視図である。
【図３】図３は参考例２の分解斜視図である。
【図４】図４は参考例２の斜視図である。
【図５】図５は参考例３の分解斜視図である。
【図６】図６は参考例３の斜視図である。
【図７】図７は参考例４の分解斜視図である。
【図８】図８は参考例４の斜視図である。
【図９】図９は参考例５の分解斜視図である。
【図１０】図１０は参考例５の斜視図である。
【図１１】図１１は参考例６の分解斜視図である。
【図１２】図１２は参考例６の斜視図である。
【図１３】図１３は参考例６の要部の分解斜視図である。
【図１４】図１４は実施例１の要部の分解斜視図である。
【図１５】図１５は実施例１の斜視図である。
【図１６】図１６は実施例２の分解斜視図である。
【図１７】図１７は実施例２の斜視図である。
【図１】
0003560007.tif 000002
【図２】
0003560007.tif 000003
【図３】
0003560007.tif 000004
【図４】
0003560007.tif 000005
【図５】
0003560007.tif 000006
【図６】
0003560007.tif 000007
【図７】
0003560007.tif 000008
【図８】
0003560007.tif 000009
【図９】
0003560007.tif 000010
【図１０】
0003560007.tif 000011
【図１１】
0003560007.tif 000012
【図１２】
0003560007.tif 000013
【図１３】
0003560007.tif 000014
【図１４】
0003560007.tif 000015
【図１５】
0003560007.tif 000016
【図１６】
0003560007.tif 000017
【図１７】
0003560007.tif 000018